(57)【要約】【課題】入稿フローの簡略化と完成イメージの視覚化を改善し、一般消費者に向けて、気軽にアナログレコードへ音源を保存できるオーダーメイドサービスを提供する。【解決手段】通信経路を相互に接続して構築される通信ネットワークにおいて、利用者デバイスからサーバを介して提供者デバイスに発注情報を送信するオーダーメイドレコードの提供方法であって、利用者デバイスから発注情報としての音源及びジャケットデザインをサーバに送信するステップと、提供者デバイスから前記サーバに、音源及びジャケットデザインデータを取得するステップと、前記で取得した音源及びジャケットデザインデータに基いて、レコードを作製するステップと、前記で作製されたレコードを利用者に納品するステップと、を有することを特徴とする。【選択図】図1
2019169020.tif 000002
【特許請求の範囲】
【請求項１】
通信経路を相互に接続して構築される通信ネットワークにおいて、利用者デバイスからサーバを介して提供者デバイスに発注情報を送信するオーダーメイドレコードの提供方法であって、
利用者デバイスから発注情報としての音源及びジャケットデザインをサーバに送信するステップと、
提供者デバイスから前記サーバに、音源及びジャケットデザインデータを取得するステップと、
前記で取得した音源及びデザインジャケットデータに基いて、レコードを作製するステップと、
前記で作製されたレコードを利用者に納品するステップと、
を有することを特徴とするオーダーメイドレコードの提供方法。
【請求項２】
前記サーバに送信されたジャケットデザインデータは、利用者デバイスから編集可能であることことを特徴する請求項1に記載のオーダーメイドレコードの提供方法。
【請求項３】
前記作製されるレコードの完成イメージを利用者デバイス及び提供者デバイスに立体表示できることを特徴とする請求項1又は2に記載のオーダーメイドレコードの提供方法。
【請求項４】
前記サーバは、権利情報データベースに接続されており、利用者デバイスから発注情報としての音源及びジャケットデザインをサーバに送信するステップにおいて、権利情報データベースと音源とが照合される機能を有することを特徴とする請求項1ないし請求項3のいずれか1項に記載のオーダーメイドレコードの提供方法。
【発明の詳細な説明】
【技術分野】
【０００１】
本発明は、アナログレコードを1枚からオーダーメイドでオンライン注文できるオーダーメイドレコードの提供方法に関する。
【背景技術】
【０００２】
一般的なアナログレコードは、レコードプレス工場が100枚以上の大ロット注文を請けて作成されている。レコードに収録する音源とジャケットやレーベルのデザインデータの入稿は、生産者との複数回のやり取りの末、ようやく注文完了となる。主な利用者は、音楽出版に詳しいレコード会社やアーティストとなる。1枚からレコード作製を請け負っている業者もあるが、1枚からジャケットを作製する技術は持ち合わせておらず、入稿において生産者との複数回のやり取りが必要となる。
【先行技術文献】
【特許文献】
【０００３】
【特許文献１】特２０１７−１２６３９１号広報
【発明の概要】
【０００４】
本発明のオーダーメイドレコードの提供方法は、通信経路を相互に接続して構築される通信ネットワークにおいて、利用者デバイスからサーバを介して提供者デバイス2dに発注情報を送信するオーダーメイドレコードの提供方法であって、利用者デバイスから発注情報としての音源及びジャケットデザインをサーバに送信するステップと、提供者デバイスから前記サーバに、音源及びジャケットデザインデータを取得するステップと、前記で取得した音源及びジャケットデザインデータに基いて、アナログレコードを作製するステップと、前記で作製されたアナログレコードを利用者に納品するステップと、を有することを特徴とする。
【発明が解決しようとする課題】
【０００５】
いずれのアナログレコードの作製においても、音源とデザインデータの入稿については、専門的なやり取りが必要となり、注文する側にある程度の予備知識が求めらるため、一般消費者にとっては注文の敷居が高い。
【０００６】
ジャケットのデザインには、デザインツールが必要になるため、一般消費者が気軽にデザインできない。       
【０００７】
レコードやジャケットの完成イメージを確認できないため、注文時の想定していたイメージと完成品に相違があるケースがある。
【０００８】
入稿された音源やデザインに対して、サービス提供者側が権利侵害の判断を行う作業は困難であり、時間を有する。 
【０００９】
本発明は、このような問題を解決するためになされたもので、入稿フローの簡略化と完成イメージの視覚化を改善し、一般消費者に向けて、気軽にアナログレコードへ音源及びデザインを保存できるオーダーメイドサービスを提供することを目的とする。
【課題を解決するための手段】
【００１０】
本発明のオーダーメイドレコードの提供方法は、通信経路を相互に接続して構築される通信ネットワークにおいて、利用者デバイスからサーバを介して提供者デバイスに発注情報を送信するオーダーメイドレコードの提供方法であって、利用者デバイスから発注情報としての音源及びジャケットデザインをサーバに送信するステップと、提供者デバイスから前記サーバに、音源及びジャケットデザインデータを取得するステップと、前記で取得した音源及びジャケットデザインデータに基いて、アナログレコードを作製するステップと、前記で作製されたアナログレコードを利用者に納品するステップと、を有することを特徴とする。
【発明の効果】
【００１１】
本発明のサービスを利用することで、サービス利用者は、1枚からジャケット付きのアナログレコードを自らデザインして、スムーズにオーダーメイド注文することが可能となる。サービス提供者は、楽曲や画像の権利確認作業や注文者との入稿に関わるコミュニケーションが簡略化される。 
【図面の簡単な説明】
【００１２】
【図１】本発明に係るサービスの概要図である。
【図２】本発明に係るハードウェアの情報処理を示す構成図である。
【図３】本発明に係るアプリのフローチャート図である。
【図４】図3の本発明に係るアプリのフローチャート図の続きである。
【図５】本発明に係るアプリの注文開始画面のスクリーンショット図である。
【図６】本発明に係るアプリの音源入稿画面のスクリーンショット図である。
【図７】本発明に係るアプリのジャケットデザイン入稿画面のスクリーンショット図である。
【図８】本発明に係るアプリのプレビュー画面のスクリーンショット図である。
【図９】本発明に係るアプリの住所入力画面のスクリーンショット図である。
【図１０】本発明に係るアプリの注文確認画面のスクリーンショット図である。
【図１１】本発明に係るアプリの決済画面のスクリーンショット図である。
【図１２】本発明に係るアプリの注文完了画面のスクリーンショット図である。
【図１３】本発明に係るアプリの管理画面のスクリーンショット図である。
【図１４】本発明に係るレコード作製を写した写真である。
【図１５】本発明に係るジャケット作製を写した写真である。
【発明を実施するための形態】
【００１３】
本発明の実施形態について図面を参照して説明する。図1は、本発明のオーダーメイドレコードの提供方法の実施形態を示す概要図である。本発明は、通信経路を相互に接続して構築される通信ネットワークにおいて、利用者デバイス1dからクラウド上のサーバ3を介して提供者デバイス2dに発注情報を送信するオーダーメイドレコードの提供方法である。
【００１４】
サービス利用者1が、オーダーメイドのアナログレコード11を注文するために、利用者デバイス1dから発注情報としての音源及びジャケットデザインをサーバ3に送信するステップとなり、クラウドサーバ3に構築されたサービスのアプリ4にアクセスして音源入稿とジャケットデザインを行う。サービス提供者2は、アプリ4の注文管理画面（図13参照）にログインすることで注文内容を確認し、取得即ちダウンロードした入稿データを基にレコード作製を行い、作製されたアナログレコード11をサービス利用者1に納品する。
【００１５】
アプリ4は、ステップに応じてオーダーメイドに必要なデータの入稿作業を促し、アナログレコード11の3Dプレビュー表示で完成イメージ（図8参照）を確認させることによって、スムーズな注文作業を実現させる。
【００１６】
サーバ3に設置されたデータベース5とストレージ8は、アプリ4を通じて入稿されるデータ管理とファイル管理の役割を果たす。入力情報やレイアウト情報はデータベース5に保存され、アナログレコード11に収録したい音源やジャケットデザインに使用する画像ファイルはストレージ8に保存される。データベース5は、権利情報データベース6に接続されており、利用者デバイス1dから発注情報としての音源及びジャケットデザインをサーバ3に送信する際に権利情報データベースと音源とが照合され、権利侵害に該当する恐れのあるファイルに対しては、アップロードが拒否される。
【００１７】
注文における決済については、外部の電子決済サービス7を利用し、入稿された内容に応じてアプリ4が算出した価格に対して、電子決済サービス7を介して、アプリ4で決済処理が行われる。決済が完了すると、代金は電子決済サービス7を仲介してサービス利用者1からサービス提供者2に安全な支払いが行われる。
【００１８】
サービス提供者2は、提供者デバイス2dを通じてアプリ4の注文管理画面（図13参照）から注文内容を確認し、注文詳細については、サービス利用者1が入稿したステップと同様の画面で入稿内容を確認する。入稿内容が問題ないことを確認した場合、提供者デバイス2dからサーバ3に、音源及びジャケットデザインデータを取得する。
【００１９】
提供者デバイス2dからサーバ3に、音源及びジャケットデザインデータを取得するため、アプリ4を通じてデータベース5とストレージ8にアクセスし、ファイルの取得即ちダウンロードを行う。
【００２０】
取得した音源及びジャケットデザインデータに基いて、アナログレコード11を作製するため、レコード作製に適したファイル形式に自動的に変換する。その後レコード作製に必要なファイルを提供者デバイス2dからカッティングマシン9と印刷機8にそれぞれ出力する。レコード作製用と印刷用に最適化され出力されたファイルを基に、注文の入稿内容を確認しながら、レコードとジャケットの作製を行う。
【００２１】
アプリ4で表示される完成イメージ（図8参照）の3Dプレビューと注文情報（図10参照）を確認しながら、検品作業を行い、アプリ4で生成される納品書を伝票出力して、完成したアナログレコード11とともに梱包し、サービス利用者1のもとに商品12として配送することで納品が完了となる。
【００２２】
図2は、本発明に係るハードウェアの情報処理を示す構成図である。サービス利用者1は、注文を行う際、パソコンやスマートフォンなどの利用者デバイス1dを通じて、サーバ3に構築されたアプリ4にアクセスし、入稿作業を行う。利用者デバイス1dの通信部がネットワークを通じてアプリ4と通信することで、サービスの注文画面が表示部に表示され、タッチパネルやキーボードなどの入力部から、入稿ファイルの選択や注文情報の入力を行うことで、デバイスの演算部がファイルの形式やサイズであるかを判断するバリデーションや完成イメージのレンダリングを実行する。入力データはデバイスの記憶部に保存され、保存されたデータを任意のタイミングで復元することができる。
【００２３】
アプリ4は、サービス利用者1のデバイス1dから送信されたデータを通信部を介して受信し、演算部にて処理して、サーバ3のデータベース5やストレージ8の通信部と通信し、それぞれの記憶部に保存させる。決済に関しては、入稿された情報をもとにアプリ4が算出した価格を電子決済サービス7の通信部と通信して、決済処理を行う。
【００２４】
サービス提供者2は、パソコンやスマートフォンなどの提供者デバイス2dを通じて、アプリ4の管理画面にアクセスし、注文確認を行う。提供者デバイス2dの通信部がネットワークを通じてアプリ4と通信することで、サービスの注文管理画面（図13参照）が表示部に表示され、タッチパネルやキーボードなどの入力部から、注文された入稿データの確認を行う。入稿されたデータに問題がなければ、レコードに収録する音源ファイルとジャケットのデザインデータをアプリ4が最適な形式に変換し、取得即ちダウンロードさせ、利用者デバイス2dの記憶部に保存する。
【００２５】
利用者デバイス1dから、保存された音源ファイルは、レコードを作製するためにカッティングマシン9に出力し、デザインデータは印刷機8に出力して、実際の作製作業が行われる。
【００２６】
図3と図4は、本発明に係るアプリ4のフローチャート図である。サービス利用者1は、サーバ3に構築されたアプリ4が利用者デバイス1dに対して表示する画面から求められるステップに応じて入稿を進めることでスムーズな注文が可能となる。アプリ4の画面遷移は、上から、注文開始画面（図5参照）、音源入稿画面（図6参照）、ジャケットデザイン入稿画面（図7参照）、プレビュー画面（図8参照）、住所入力画面（図9参照）、注文確認画面（図10参照）、決済画面（図11参照）、注文完了画面（図12参照）の流れになる。
【００２７】
注文開始画面（図5参照）は、レコードのサイズによる特徴と仕様の説明と発送予定日、7、10, 12インチのサイズ選択ボタンから構成される。注文の開始にあたって、利用者デバイス1dを通じてアクセスS1し、レコードのサイズを選択S2し、次の画面に進む。
【００２８】
音源入稿画面（図6参照）は、アナログレコード11のタイトル入力フォームと音源アップロードボタン、音楽プレイヤー、価格情報、画面遷移メニューから構成され、サービス利用者1がレコードに収録する音源をアップロードし、入稿する工程となる。音源を入稿するために、利用者デバイス1dに保存されている収録音源を参照S3し、アプリ4に対して適切なファイルの容量や形式であるかのバリデーション処理が行われ、適切でない場合はエラーメッセージが出力S4され、アップロードが拒否される。適切な場合は、権利情報データベース6へ音源に関する照合確認が行われ、権利侵害の恐れがある場合は、エラーメッセージが出力S4され、アップロードが拒否される。いずれも適切な場合は、アプリ4へファイルのアップロードが実行される。アップロードされた音源は画面上の音楽プレイヤーに表示され、再生プレビューにて音源確認S5することが可能となる。曲順変更、レコードの回転数の変更についても、この工程で行い、入稿内容は一時的にアプリ4に保存されるため、後で修正することも可能である。問題なければ、次の画面に進む。
【００２９】
ジャケットデザイン入稿画面（図7参照）は、デザイン編集ツール、キャンパス、価格情報、画面遷移メニューから構成され、レコードジャケットをデザインし、入稿を行う工程となる。デザインを行うために、利用者デバイス1dに保存されている画像を参照S6する。アプリ4に対して適切なファイルの容量や形式であるかのバリデーション処理が行われ、適切でない場合はエラーメッセージが出力S7され、アップロードが拒否される。適切な場合は、権利情報データベースへ画像に関する照合確認が行われ、権利侵害の恐れがある場合は、エラーメッセージが出力され、アップロードが拒否される。いずれも適切な場合は、アプリ4へファイルのアップロードが実行され、キャンパスに画像が反映される。アップロードした音源のタイトルを抽出し、自動的にデザインへ反映することも可能となり、デザインツール機能によって、テキスト加工や図形挿入などのデザイン編集S8を行うことも可能となる。編集内容は一時的にアプリ4に保存されるため、サーバ3に送信されたジャケットデザインデータは、利用者デバイス1dから編集可能となり、後で修正することも可能である。問題なければ、次の画面に進む。
【００３０】
プレビュー画面（図8参照）は、レコード立体表示とアングルボタン、レコード再生ボタン、価格情報、画面遷移メニューから構成され、オーダーメイドレコードの完成イメージを動的に表示して、最終確認を促す工程となる。入稿した音源とデザインデータを基に作製されるアナログレコード11の完成イメージを利用者デバイス1d及び提供者デバイス2dに立体表示でき、レコードのA面とB面それぞれにアップロードされた音源がどのように収録されるかを音源再生機能のある動画で表示し、サービス利用者1による入稿ミスを最小限に抑えるための詳細な完成イメージの確認S13を促す。入稿内容を修正したい場合は、画面遷移メニューから前の画面に戻って入稿修正S9を行うことができ、問題なければ次の画面に進む。
【００３１】
住所入力画面（図9参照）は、注文者の名前と住所、電話番号、メールアドレスの入力フォーム、画面遷移メニューで構成され、注文する商品12の配送先を入力する工程となる。注文者は入力フォームに配送先住所を入力S14し、入力に不備がある場合は、アラートが表示される。問題なければ次の画面に進む。
【００３２】
注文確認画面（図10参照）は、配送先住所情報と注文情報、発送予定日、規約への同意ボタン、画面遷移メニューで構成され、サービス利用者1に対して入稿及び入力した注文情報を最終確認させる工程となる。配送先情報と入稿内容、価格詳細が一覧表示され、情報修正S15する場合は、画面遷移メニューから前画面に戻ることができる。問題なければ、規約へ同意し、購入するためのボタンを押す。
【００３３】
決済画面（図11参照）は、外部サービスに繋がり、電子決済サービス7における情報入力フォームがポップアップで表示される。サービス利用者1は、決済情報を入力S16して、決済を完了させる。
【００３４】
注文完了画面（図12参照）は、決済を完了すると注文が完了となり、自動的に表示される画面となる。
【００３５】
オーダーメイド注文における販売価格は、レコードのサイズや収録する楽曲数、デザインの有無などで変動するため、画面に常時表示させて常に確認しながら入稿を進めることが可能となる。
【００３６】
サービス提供者2は、アプリの注文管理画面にログインS10して、サービス利用者1の注文内容の確認を行う。
【００３７】
注文一覧画面（図13参照）は、サービス利用者1からの注文概要を一覧表示する画面となる。そのなかから、任意の注文を選択S11することで、その注文の音源入稿画面に遷移し、サービス利用者1が入稿する流れと同様の画面遷移で注文内容の確認を行うことが可能となり、それぞれの画面で編集や修正が必要な場合は、編集ボタンを押すことで編集モードとなり、入稿されたデータを上書き保存することが可能となる。
【００３８】
音源入稿画面（図6参照）では、再生プレビューにてサービス利用者1からの入稿音源を確認S12し、問題なければ、次の画面に進む。
【００３９】
デザイン入稿画面（図7参照）では、サービス利用者1から入稿されたデザインデータが反映された編集画面にて画像とレイアウトに不備がないことを確認し、問題なければ、次の画面に進む。
【００４０】
プレビュー画面（図8参照）では、アナログレコード11の完成イメージを確認S17し、音源とデザインなどの入稿ファイルを一括でダウンロードするためのボタンをクリックすることで、音源ファイルはWAV形式に、デザインファイルはPDF形式に、それぞれレコード作製に最適な形式に変換され、提供者デバイス2dにダウンロードされる。ダウンロードが完了して、次の画面に進む。
【００４１】
住所入力画面（図10参照）では、サービス利用者1が入力した配送先住所情報を確認し、入力内容に不備がなければ、次の画面に進む。
【００４２】
注文確認画面（図13参照）では、サービス利用者1の注文情報を確認S18し、販売価格と電子決済サービス6の取引詳細と決済照合S19を行う。問題なければ、納品書ボタンをクリックすることで、自動的に納品書発行S20が行われ、注文確認が完了となる。
【００４３】
ダウンロードした音源ファイルを専用の音声編集ソフトでレコード用の音質に編集し、カッティングマシン9でレコード作製（図15参照）を行い、ダウンロードしたデザインファイルを専用の印刷機8で出力し、印刷した紙を加工してジャケット作製（図14参照）を行い、レコード盤を封入し、アナログレコード11が完成となる。
【００４４】
完成したアナログレコード11を、プレビュー画面の完成イメージを基に確認し、問題なければ、アナログレコード11を出力された納品書と一緒に梱包し、サービス利用者1の住所へ商品12として発送を行い、配送が完了した時点で納品となる。
【００４５】
以上のように本実施形態によれば、幅広いサービス利用者1に対して、アナログレコード11に音源を残すことの新たな価値を提供することが可能となる。
【符号の説明】
【００４６】
1. サービス利用者
1d. 利用者デバイス
2. サービス提供者
2d. 提供者デバイス
3. サーバ
4. アプリ
5. データベース
6. 権利情報データベース
7. 電子決済サービス
8. ストレージ
9. 印刷機
10. カッティングマシン
11. アナログレコード
12. 商品
【図１】
2019169020.tif 000003
【図２】
2019169020.tif 000004
【図３】
2019169020.tif 000005
【図４】
2019169020.tif 000006
【図５】
2019169020.tif 000007
【図６】
2019169020.tif 000008
【図７】
2019169020.tif 000009
【図８】
2019169020.tif 000010
【図９】
2019169020.tif 000011
【図１０】
2019169020.tif 000012
【図１１】
2019169020.tif 000013
【図１２】
2019169020.tif 000014
【図１３】
2019169020.tif 000015
【図１４】
2019169020.tif 000016
【図１５】
2019169020.tif 000017